(57)【特許請求の範囲】
【請求項１】
同一断面形状を有する長尺部材からなり、一側に戸当り部を有するとともに、他側に両側壁部で囲まれた側方開放の空間部を有するドア枠に、アジャスター支持部材を着脱可能に取付けてなるドア枠へのアジャスター支持部材の取付装置であって、前記ドア枠は、両側壁部の端縁部に前記空間部に沿って断面略コ字形の折返し縁を形成するとともに、両折返し縁に切欠凹部を形成してあり、前記アジャスター支持部材は、側面視略コ字形を有し、前記ドア枠の戸当り部の内面側に当接した状態で、下部両側に突設した係止突片を前記折返し縁の切欠凹部に係止するとともに、上部両側に突設した突起を前記折返し縁に係止してなることを特徴とするドア枠へのアジャスター支持部材の取付装置。
【請求項２】
前記アジャスター支持部材は、前記ドア枠の戸当り部の内面側に当接する基板と底板及び天面板とからなる側面視略コ字形を有し、前記底板の遊端側の両端部に前記係止突片を形成するとともに、該天面板の遊端側の両端部に前記突起を形成してなる請求項１記載のドア枠へのアジャスター支持部材の取付装置。
【請求項３】
前記アジャスター支持部材は、前記天面板と基板にかけて中央部にスリットを形成するとともに、前記天面板の遊端であって前記スリットを挟んで両側にプライヤーの挟持部を設けて、前記突起を形成した部分を内外弾性変形可能としてなる請求項1又は２記載のドア枠へのアジャスター支持部材の取付装置。
【請求項４】
前記アジャスター支持部材は、前記底板を含む下部の横幅を前記両折返し縁間の開口幅よりも広く設定するとともに、前記天面板を含む上部の横幅を前記両折返し縁間の開口幅よりも狭く設定してなる請求項1〜３何れか1項に記載のドア枠へのアジャスター支持部材の取付装置。
【発明の詳細な説明】
【技術分野】
【０００１】
本発明は、ドア枠へのアジャスター支持部材の取付装置に係わり、更に詳しくは間仕切パネルの支柱間にドアを設けるためのドア枠にアジャスター支持部材を取付ける取付装置に関するものである。
【背景技術】
【０００２】
従来から天井に取付けた天レールと床面に敷設した地レールとの間に所定間隔で支柱を立設し、両支柱に適宜な係止手段にて表裏両面にパネル板を係止して装着した間仕切パネルは各種提供されている。具体的には、前記支柱は下端に設けたアジャスターを上向き開放の断面略コ字形の前記地レール内に載支するとともに、該支柱の上端に設けた天固定金具を下方開放した断面略コ字形の前記天レールの内部で天井にネジ止め固定し、隣接する支柱間には下部に前記アジャスターを利用してパネル受け部材を架設するとともに、上下中間位置に単数又は複数の横桟を横設して隣接する支柱の間隔を一定に保持している。そして、特定の位置の隣接する支柱を利用してドア枠を取付け、ドア枠にドアを開閉可能に設ける。
【０００３】
従来のスチール製のドア枠は、一側に開放した中空部材であり、空間部に下端にアジャスターを装着した支柱の一部を取り込んで、一定の空間を保持しながら、ドア枠の通路開口側から支柱にネジ止めしている。ここで、従来は、ドア枠の内部にハット曲げ加工した金属部品を上下に複数個スポット溶接して固定し、支柱の側面をハット型金属部品の台座面に当接した状態でドア枠と支柱をネジ止めしていた。しかし、ハット型金属部品をドア枠の内部にスポット溶接すると、工数が多くなり、またドア枠の通路開口側、即ち仕上げ面にスポット痕が出るので意匠性も悪くなる。
【０００４】
特許文献１には、ドア枠を構成する側枠を間仕切パネルの縦枠に連結する手段として、側枠と縦枠の対向面にそれぞれブロック状の連結金具をネジ止めし、両連結金具を上下方向から係合させることによって、互いに離れる方向に規制するとともに、上端間に渡した連結バーを連結することによって、上下方向の変位を規制し、連結状態を維持する連結構造が開示されている。
【０００５】
しかし、特許文献１に記載の構造は、ドア枠を構成する側枠の下端部に、間仕切パネルの縦枠に設けるアジャスターとは異なる構造のアジャスターを内蔵したものであり、側枠の荷重は内蔵したアジャスターで受けることができるものの、部品点数が増えて、また構造的に複雑になるのでコスト高となる。この場合もアジャスターの支持部材をドア枠の下部にスポット溶接によって固定するので、前記同様にスポット痕が仕上げ面に現われることになる。
【先行技術文献】
【特許文献】
【０００６】
【特許文献１】特許第３２３１１８９号公報
【発明の概要】
【発明が解決しようとする課題】
【０００７】
そこで、本発明が前述の状況に鑑み、解決しようとするところは、隣接する支柱間にドアを設けてなる間仕切パネルにおいて、ドア枠の高さ調整と荷重を受けるために設けるアジャスター支持部材を、ドア枠の空間部内に、スポット溶接することなく、簡単且つ強固に着脱可能に取付けることが可能なドア枠へのアジャスター支持部材の取付装置を提供する点にある。
【課題を解決するための手段】
【０００８】
本発明は、前述の課題解決のために、同一断面形状を有する長尺部材からなり、一側に戸当り部を有するとともに、他側に両側壁部で囲まれた側方開放の空間部を有するドア枠に、アジャスター支持部材を着脱可能に取付けてなるドア枠へのアジャスター支持部材の取付装置であって、前記ドア枠は、両側壁部の端縁部に前記空間部に沿って断面略コ字形の折返し縁を形成するとともに、両折返し縁に切欠凹部を形成してあり、前記アジャスター支持部材は、側面視略コ字形を有し、前記ドア枠の戸当り部の内面側に当接した状態で、下部両側に突設した係止突片を前記折返し縁の切欠凹部に係止するとともに、上部両側に突設した突起を前記折返し縁に係止してなることを特徴とするドア枠へのアジャスター支持部材の取付装置を構成した（請求項１）。
【０００９】
具体的には、前記アジャスター支持部材は、前記ドア枠の戸当り部の内面側に当接する基板と底板及び天面板とからなる側面視略コ字形を有し、前記底板の遊端側の両端部に前記係止突片を形成するとともに、該天面板の遊端側の両端部に前記突起を形成してなることが好ましい（請求項２）。
【００１０】
更に、前記アジャスター支持部材は、前記天面板と基板にかけて中央部にスリットを形成するとともに、前記天面板の遊端であって前記スリットを挟んで両側にプライヤーの挟持部を設けて、前記突起を形成した部分を内外弾性変形可能としてなることがより好ましい（請求項３）。
【００１１】
更に、前記アジャスター支持部材は、前記底板を含む下部の横幅を前記両折返し縁間の開口幅よりも広く設定するとともに、前記天面板を含む上部の横幅を前記両折返し縁間の開口幅よりも狭く設定してなることがより好ましい（請求項４）。
【発明の効果】
【００１２】
以上にしてなる請求項１に係る発明のドア枠へのアジャスター支持部材の取付装置は、ので、同一断面形状を有する長尺部材からなり、一側に戸当り部を有するとともに、他側に両側壁部で囲まれた側方開放の空間部を有するドア枠に、アジャスター支持部材を着脱可能に取付けてなるドア枠へのアジャスター支持部材の取付装置であって、前記ドア枠は、両側壁部の端縁部に前記空間部に沿って断面略コ字形の折返し縁を形成するとともに、両折返し縁に切欠凹部を形成してあり、前記アジャスター支持部材は、側面視略コ字形を有し、前記ドア枠の戸当り部の内面側に当接した状態で、下部両側に突設した係止突片を前記折返し縁の切欠凹部に係止するとともに、上部両側に突設した突起を前記折返し縁に係止してなるので、ドア枠に対してスポット溶接することなく、アジャスター支持部材を着脱可能に取付けることができ、ドア枠にアジャスター支持部材を取付けた後には、戸当り部の内面側に当接し、切欠凹部に係止突片が係止しているので、ドア枠の長手方向への移動が規制され、また突起を折返し縁に係止しているので回転も規制され、取付状態が安定である。ドア枠は、スチール板を折曲形成したものでも、アルミ押出し型材で作製したものでも良く、ドア枠には単に切欠凹部を形成するだけで済むので、加工コストを低減できる。ドア枠の下部に取付けたアジャスター支持部材は、支柱の下端部に装着するアジャスターによって荷重を受けたり、あるいは直接アジャスターボルトと組み合わせてアジャスターを構成することができる。
【００１３】
請求項２によれば、前記アジャスター支持部材は、前記ドア枠の戸当り部の内面側に当接する基板と底板及び天面板とからなる側面視略コ字形を有し、前記底板の遊端側の両端部に前記係止突片を形成するとともに、該天面板の遊端側の両端部に前記突起を形成してなるので、スチール板を折曲形成して簡単且つ安価に作製可能である。
【００１４】
請求項３によれば、前記アジャスター支持部材は、前記天面板と基板にかけて中央部にスリットを形成するとともに、前記天面板の遊端であって前記スリットを挟んで両側にプライヤーの挟持部を設けて、前記突起を形成した部分を内外弾性変形可能としてなるので、前記挟持部をプライヤーで挟んでスリットを狭めた状態で、前記突起をドア枠の両折返し縁間を外側から空間部内へ通過させ、その後プライヤーを外せば両突起が広がって両折返し縁に係止させることができる。
【００１５】
請求項４によれば、前記アジャスター支持部材は、前記底板を含む下部の横幅を前記両折返し縁間の開口幅よりも広く設定するとともに、前記天面板を含む上部の横幅を前記両折返し縁間の開口幅よりも狭く設定してなるので、アジャスター支持部材の下部をドア枠の下端から空間部内に挿入し、上部は両折返し縁間を通して外側に位置させた状態で、ドア枠の長手方向に移動させ、前記切欠凹部の位置に前記係止突片が来ると回転させれば、該係止突片を切欠凹部に係合させることができ、それから前記戸当り部の内面側に当接するまで押し込んで、前記突起を両折返し縁に係止すれば、簡単に取付けることができる。
【図面の簡単な説明】
【００１６】
【図１】本発明に係る間仕切パネルのフレーム構造を示す部分正面図である。
【図２】同じく本発明に係る間仕切パネルのフレーム構造を示す部分縦断側面図である。
【図３】パネル板の上部構造を示す部分斜視図である。
【図４】パネル板の下部構造を示す部分斜視図である。
【図５】パネル板を支柱に係止した状態の部分横断平面図である。
【図６】アジャスターとパネル受け部材との関係を示す斜視図である。
【図７】アジャスターを示し，（ａ）は平面図、（ｂ）は側面図、（ｃ）は縦断面図である。
【図８】間仕切パネルのフレーム構造の下部を示す部分正面図である。
【図９】ドア枠の空間部にスペーサーとアジャスター支持部材を装着した状態の部分斜視図である。
【図１０】同じくドア枠の空間部にスペーサーとアジャスター支持部材を装着した状態を示し、（ａ）は側面図、（ｂ９は縦断正面図である。
【図１１】同じくドア枠とスペーサー及びアジャスター支持部材との関係を示す分解斜視図である。
【図１２】スペーサーを示し、（ａ）は斜視図、（ｂ）は平面図、（ｃ）側面図である。
【図１３】アジャスター支持部材を示し、（ａ）は斜視図、（ｂ）は平面図、（ｃ）側面図である。
【図１４】ドア枠と下端部にアジャスターを装着した支柱を連結した状態の部分縦断正面図である。
【発明を実施するための形態】
【００１７】
次に、添付図面に示した実施形態に基づき、本発明を更に詳細に説明する。図１〜図５は、本発明に係る間仕切パネルの構造を示し、図中符号１は天レール、２は地レール、３は支柱、４はアジャスター、５は天固定金具、６はパネル受け部材、７は横桟、８はパネル板、９は支持金具をそれぞれ示している。
【００１８】
本発明に係る間仕切パネルは、天井Ｓに取付けた天レール１と床面Ｆに敷設した地レール２との間に所定間隔で支柱３，…を立設し、具体的には前記支柱３は下端に設けたアジャスター４を上向き開放の断面略コ字形の前記地レール２内に載支するとともに、該支柱３の上端に設けた天固定金具５を下方開放した断面略コ字形の前記天レール１の内部で天井Ｓにネジ止め固定し、隣接する支柱３，３間には下部に前記アジャスター４を利用してパネル受け部材６を架設するとともに、上下中間位置に単数又は複数の横桟７を横設して、隣接する支柱３，３の間隔を一定に保持し、そして両支柱３，３に適宜な係止手段にて表裏両面にパネル板８，８を係止して装着する。ここで、前記横桟７は、前記支柱３に取付けられた支持金具９によって連結されている。
【００１９】
本発明のパネル板８は、図３〜図５に示すように、スチール製の表面板１０の周囲を裏面側へ折曲して縁部１１を形成し、裏面側に石膏ボード等の防音性に優れた芯材１２が接着された構造である。更に詳しくは、前記縁部１１は、両側にあっては前記表面板１０を裏面側に略直角に折曲して端面板１３を形成し、更に該端面板１３の後端を内方へ直角よりもやや小さな角度に折曲して裏面板１４を形成し、該裏面板１４には上下方向に所定間隔毎に縦長の係止孔１５，…を形成し、上縁部にあっては前記表面板１０の上端から裏面側へ略直角に折曲して上面板１６を形成するとともに、該上面板１６の端縁を下方へ略直角に折曲して補強板１７を形成し、該補強板１７の下端と前記芯材１２の上面１２Ａとの間に空間Ｇを設けた構造である。尚、前記パネル板８の下縁部の構造も上縁部と同様であり、前記表面板１０の下端から裏面側へ略直角に折曲して下面板１８を形成するとともに、該下面板１８の端縁を上方へ略直角に折曲して補強板１９を形成し、縁部１１を形成している。
【００２０】
前記パネル板８を前記支柱３に係止するには、図１及び図２に示すように、前記支柱３の両側面で所定高さ位置に、前後両端部が該支柱３から突出するように係止板２０をネジ止めする。この係止板２０の両端部には、上向きフック部２１，２１が形成されており、該上向きフック部２１に前記パネル板８の両側の裏面板１４に形成した係止孔１５を係止する。尚、前記パネル板８を前記支柱３に係止する構造は、前述のものに限らず、従来公知の各種係止手段を採用できる。
【００２１】
ここで、前記パネル板８の上部には予めシール材２２が装着されており、前記パネル板８を支柱３に係止すると同時に、パネル板８の上部と天レール１との間の隙間が閉塞されるようになっている。前記シール材２２は、図３に示すように、硬質と軟質の二種類のエラストマー等の弾性材料の押し出し成形品であり、前記パネル板８の補強板１７と上面板１６にかけて弾性的に外覆するとともに、補強板１７の下端に係止する係止部２３を備え、更に下方へ延びて前記芯材１２に接触する第１シール部２４と外側に突出して前記天レール１に接触する第２シール部２５とを備えている。本実施形態では、前記シール材９の材質は、非鉛ＰＶＣとしている。
【００２２】
前記パネル板８の下端は、図４に示すように、補強板１９の一部を切起して下向きの突片２６を形成し、前記パネル受け部材６の水平な受板２７に形成した係合孔２８に落とし込み係合して該パネル板８の面外方向の撓み変形を防止している。また、壁面Ｗに対しては、図５に示すように、前記支柱３は使用せず、該壁面Ｗに沿って側方開放した断面略コ字形の端部部材２９を固定し、該端部部材２９の凹溝内に配置した合成樹脂製のスペーサー部材３０とで、前記パネル板８の側端部を弾性的に保持している。
【００２３】
次に、各部の詳細を更に詳しく説明する。先ず、前記支柱３は、図１、図２及び図５に示すように、正面視において横幅が従来の支柱よりも狭く、奥行は従来の支柱と同じ寸法に設定され、軽量化とコストダウンが図られている。前記支柱３は、断面略Ｃ字形で外形形状が長方形の杆体であり、短辺側が正面を向くように配置する。前記支柱３は、スチール板を折曲して形成し、短辺側の前面板３１と後面板３２、長辺側の側面板３３とその対面側の両側片３４，３４とで形成され、両側片３４，３４間には隙間があるが、勿論隙間が無くても良い。本実施形態の支柱３の横幅は狭いので、前記前面板３１と後面板３２に、前記パネル板８を係止するための係止孔を２列形成し、係止具によってパネル板８を係止することが難しい。そのため、前記係止板２０を前記支柱３の側面板３３及び両側片３４，３４にネジ止めしたのである。
【００２４】
前記アジャスター４は、図１、図２、図６〜図８に示すように、正面視において下半分は従来と同様な横幅を有し、前記支柱３の下端部を嵌着する上半分は前記支柱３の横幅に応じて横幅を小さくした形状であり、前記支柱３の下端部に装着するアジャスター受け部材３５と、該アジャスター受け部材３５に鉛直方向から螺合して前記地レール２内に載置するアジャスターボルト３６とからなるとともに、両側にパネル板８の下端を支えるパネル受け部材６を支持するための係止手段を備えている。具体的には、前記アジャスター受け部材３５は、一側面となる連結板３７の両側から直角に前板３８と後板３９を折曲して平面視略コ字形とし、更に前記連結板３７の下端を直角に折曲して水平な底面板４０を形成して前記前板３８と後板３９の間の空間を塞ぐとともに、該底面板４０の両縁部を前記前板３８と後板３９の下端に当接し、荷重を受けても変形しないようにしている。前記底面板４０の中央部には螺孔４１を形成し、前記アジャスターボルト３６を下方から螺合している。
【００２５】
前記アジャスター受け部材３５の前板３８と後板３９は、図６及び図７に示すように、上下中間位置で段差部４２を設けて上半分の横幅を狭く、下半分の横幅を広く形成し、前記連結板３７の上下中間位置に前記段差部４２と上面が同一高さレベルに係止片４３を切起し形成するとともに、前記段差部４２の外側端部には、前記前板３８と後板３９の面より内側に側面視Ｌ字状に上向きの係止爪４４，４４を形成している。
【００２６】
つまり、前記アジャスター受け部材３５は、正面視において上下中間位置に段差部４２を設けて上半分の横幅を狭く、下半分の横幅を広く形成し、上半分に前記支柱３の下端部を嵌着し、前記段差部４２と反対側の面に前記パネル受け部材６の端部を載支してネジ止めする係止片４３を切起し形成するとともに、前記段差部４２に前記パネル受け部材６の端部に形成した孔に係合する上向きの係止爪４４，４４を形成したことが特徴であり、その他の構成は適宜変更可能である。
【００２７】
前記支柱３の下端部は、図８に示すように、前面板３１と後面板３２を残して、前記側面板３３と両側片３４，３４を切り欠いた形状であり、この切欠端４５は該支柱３の下端部を前記アジャスター受け部材３５の上半分に外嵌した際に、前記段差部４２と係止片４３の上面に当止される。また、前記アジャスター受け部材３５の前板３８と後板３９の外面であって、前記支柱３に嵌合する部分には外向きに突出した片球状突起４６，４６を上下に形成し、支柱３に密嵌するようになっている。
【００２８】
そして、前記支柱３の下端部に装着された前記アジャスター４によって、前記パネル受け部材６の端部が支持される。具体的には、図６に示すように、前記パネル受け部材６は、前記地レール２の上部を外被することができる下方開放の断面略コ字形の長尺部材であり、前記地レール２の外側に位置する垂直な吊板４７の下縁には外向きに前記受板２７を折曲形成し、また上板４８の端部には、中央部に取付孔４９、その左右部に前記保持孔５０，５０が形成されている。ここで、前記保持孔５０の形状は角孔としたが、円孔でも構わない。そして、前記アジャスター受け部材３５の係止片４３が形成されている側では、前記パネル受け部材６の端部を該係止片４３に載置し、前記取付孔４９に挿通したタッピンネジ５１を係止片４３に形成した下穴５２に螺合し、その反対側にあっては前記パネル受け部材６の端部を両段差部４２，４２に載置すると同時に、両係止爪４４，４４を両保持孔５０，５０に受け入れて係合する。
【００２９】
また、前記アジャスター受け部材３５の連結板３７の上半分において、中央線に沿って少なくとも上下２箇所に通孔５３，…を形成してあり、天井Ｓまで達しない中間高さの間仕切パネルでは、前記支柱３を天井Ｓに固定することができないので、前記支柱３とアジャスター受け部材３５を、前記通孔５３，…を利用してネジ止め、あるいは圧接して強固に連結する。
【００３０】
次に、特定の位置の隣接する支柱３，３間にドアを設ける場合に、該支柱３にドア枠５４を取付ける構造を図９〜図１４に基づいて説明する。前記ドア枠５４は、スチール板を折曲形成した長尺部材であり、一側に戸当り部５５を有するとともに、他側に両側壁部５６，５６で囲まれた側方開放の空間部５７を有する。そして、本実施形態では、前記ドア枠５４の空間部５７内に、合成樹脂製の複数のスペーサー５８と、スチール製のアジャスター支持部材５９を装着し、前記空間部５７内に下端部にアジャスター４を装着した前記支柱３の側部一部を受け入れ、前記スペーサー５８に支柱３の側面を当接するとともに、前記アジャスター支持部材５９に前記アジャスター４を構成するアジャスター受け部材３５の係止爪４４，４４を利用して係合し、ドア枠５４の荷重を支柱３と共にアジャスター４でも受ける構造としている。
【００３１】
図９〜図１４に示すように、前記スペーサー５８には、前記空間部５７内で姿勢を保持する姿勢保持手段６０を備えるとともに、前記ドア枠５４の戸当り部５に形成した取付孔６１，…から支柱３の側面に形成した螺孔若しくは下穴６２に固定ネジ６３を案内するガイド孔６４を備えている。更に、前記ドア枠５４の戸当り部５に形成する固定ネジ６３の頭部６３Ａを受け入れるザグリ６５を、前記空間部５７へ突出部６６を形成するようにバーリング加工し、前記スペーサー５８のガイド孔６４の周囲に前記突出部６６を係合する凹部６７を形成している。
【００３２】
更に詳しくは、前記スペーサー５８は、中央の本体部６８から両側にそれぞれ一対の脚板６９，６９が延び、前記本体部６８に横長のガイド孔６４を貫通形成するとともに、前記脚板６９の端部を前記ドア枠５４の両側壁部５６，５６の空間部５７に沿った端縁部に形成した断面略コ字形の折返し縁７０，７０に係止し、該ドア枠５４の長手方向にのみ移動可能に係合し、更に前記ガイド孔６４の周囲に形成した凹部６７を前記ザグリ６５の反対側の突出部６６に係合して前記ドア枠５４の長手方向への移動を規制している。
【００３３】
また、前記スペーサー５８の脚板６９の端部には前記側壁部５６，５６の折返し縁７０，７０に係止するための係合段部７１を形成している。更に、前記スペーサー５８の本体部６８の端部と前記脚板６９，…の端部を面一とし、前記支柱３の側面と面接触する当止部７２を形成している。
【００３４】
次に、前記アジャスター支持部材５９を、図９〜図１１、図１３及び図１４に基づいて説明する。本実施形態では、前記アジャスター４の上下中間に設けた段差部４２に上向きに係止爪４４，４４を突設し、前記ドア枠５４の空間部５７の下部に装着したアジャスター支持部材５９の底板７３に前記係止爪４４，４４を受け入れる係合穴７４，７４を形成し、前記支柱３を前記ドア枠５４にネジ止めすると同時に、前記アジャスター４の係止爪４４をアジャスター支持部材５９の係合穴７４に係合し且つ段差部４２に底板７３を当止して荷重を受けるようにしている。
【００３５】
更に詳しくは、前記アジャスター４のアジャスター受け部材３５は、上下中間部に段差部４２を設けて上半分の横幅を狭く、下半分の横幅を広く設定し、上半分を前記支柱３の下端部に嵌挿し、前記段差部４２に上向きに係止爪４４を突設してなるものである。
【００３６】
本発明は、前記アジャスター支持部材５９を前記ドア枠５４の空間部５７に、スポット溶接することなく、簡単且つ強固に着脱可能に取付ける構造に関する。つまり、本発明は、同一断面形状を有する長尺部材からなり、一側に戸当り部５５を有するとともに、他側に両側壁部５６，５６で囲まれた側方開放の空間部５７を有するドア枠５４に、アジャスター支持部材５９を着脱可能に取付けてなるドア枠へのアジャスター支持部材の取付装置であって、前記ドア枠５４は、両側壁部５６，５６の端縁部に前記空間部５７に沿って断面略コ字形の折返し縁７０，７０を形成するとともに、両折返し縁７０，７０の同じ高さ位置に切欠凹部８０，８０を形成してあり、前記アジャスター支持部材５９は、側面視略コ字形を有し、前記ドア枠５４の戸当り部５５の内面側に当接した状態で、下部両側に突設した係止突片７７，７７を前記折返し縁７０，７０の切欠凹部８０，８０に係止するとともに、上部両側に突設した突起７９，７９を前記折返し縁７０，７０に係止することを特徴としている。
【００３７】
具体的には、前記アジャスター支持部材５９は、前記ドア枠５４の戸当り部５５の内面側に当接する基板７５と前記係合穴７４，７４を形成した底板７３及び天面板７６とからなる側面視略コ字形を有し、前記底板７３の遊端側の両端部に係止突片７７，７７を形成するとともに、前記天面板７６と基板７５にかけて中央部にスリット７８を形成して内外弾性変形可能とし、該天面板７６の遊端側の両端部に突起７９を形成し、前記ドア枠５４の両側壁部５６，５６の空間部５７に沿った端縁部に形成した断面略コ字形の折返し縁７０，７０に形成した切欠凹部８０，８０に前記係止突片７７，７７を係止するとともに、前記突起７９，７９を前記折返し縁７０，７０の縁部に係止して取付ける。
【００３８】
また、前記アジャスター支持部材５９の底板７３及び天面板７６は、それぞれ上方に直角に折曲して補強片８１，８２を形成し、該補強片８１，８２に前記支柱３の側面を当止して、取付強度を高めている。
【００３９】
ここで、前記アジャスター支持部材５９は、前記天面板７６と基板７５にかけて中央部にスリット７８を形成して内外弾性変形可能としているが、実際にこの部分を弾性変形させるには、前記天面板７６の遊端であって前記スリット７８を挟んで両側に凹設した挟持部８３，８３をプライヤーで挟んで、前記突起７９，７９を形成した部分を変形させるのである。つまり、前記挟持部８３，８３をプライヤーで挟んでスリット７８を狭めた状態で、前記突起７９，７９をドア枠５４の両折返し縁７０，７０間を外側から空間部５７内へ通過させ、その後プライヤーを外せば両突起７９，７９が広がって両折返し縁７０，７０に係止させることができる。
【００４０】
また、前記アジャスター支持部材５９は、前記底板７３を含む下部の横幅を前記両折返し縁７０，７０間の開口幅よりも広く設定するとともに、前記天面板７６を含む上部の横幅を前記両折返し縁７０，７０間の開口幅よりも狭く設定している。そのため、前記基板７５は、下部の広幅部７５Ａと上部の狭幅部７５Ｂとからなっている。このようにすると、前記アジャスター支持部材５９の下部をドア枠５４の下端から空間部５７内に挿入し、上部は両折返し縁７０，７０間を通して外側に位置させた状態で、ドア枠５４の長手方向に移動させ、前記切欠凹部８０の位置に前記係止突片７７が来ると、基板７５を戸当り部５５の内面に当接する方向に回転させれば、底板７３で突っ張りながら前記係止突片７７を切欠凹部８０に係合させることができ、それから前記戸当り部５５の内面側に当接するまで押し込んで、前記突起７９を両折返し縁７０に係止して、簡単に取付けることができる。この際に、前記スリット７８が狭まるように弾性変形させれば、前記突起７９，７９は両折返し縁７０，７０間を容易に通過させることができる。
【００４１】
このように、前記ドア枠５４の空間部５７内に複数の前記スペーサー５８，…を装着するとともに、前記アジャスター支持部材５９を該ドア枠５４の長手方向に移動不能に装着した状態で、下端部にアジャスター４を嵌着した前記支柱３を前記ドア枠５４の空間部５７内に一部を受け入れ、前記スペーサー５８の当止部７２とを前記アジャスター支持部材５９の補強片８１，８２に前記支柱３の側面を当止した状態で、若干支柱３を上方へスライドさせて、前記アジャスター４の係止爪４４，４４を前記アジャスター支持部材５９の係合穴７４に係合するとともに、段差部４２に底板７３を当止する。この状態で、前記ドア枠５４の戸当り部５５に形成した取付孔６１，…に固定ネジ６３を挿入すると、該固定ネジ６３の軸部６３Ｂはスペーサー５８のガイド孔６４に案内されて、前記支柱３の側面に形成した螺孔若しくは下穴６２まで容易に案内されるので、該固定ネジ６３を締め付けることができる。このように、前記支柱３にドア枠５４を所定の空間を設けて、上下方向の荷重を十分に受ける状態で一体化できるのである。
【符号の説明】
【００４２】
１  天レール、              ２  地レール、
３  支柱、                  ４  アジャスター、
５  天固定金具、            ６  パネル受け部材、
７  横桟、                  ８  パネル板、
９  支持金具、              １０  表面板、
１１  縁部、                １２  芯材、
１３  端面板、              １４  裏面板、
１５  係止孔、              １６  上面板、
１７  補強板、              １８  下面板、
１９  補強板、              ２０  係止板、
２１  上向きフック部、      ２２  シール材、
２３  係止部、              ２４  第１シール部、
２５  第２シール部、        ２６  突片、
２７  受板、                ２８  係合孔、
２９  端部部材、            ３０  スペーサー部材、
３１  前面板、              ３２  後面板、
３３  側面板、              ３４  側片、
３５  アジャスター受け部材、３６  アジャスターボルト、
３７  連結板、              ３８  前板、
３９  後板、                ４０  底面板、
４１  螺孔、                ４２  段差部、
４３  係止片、              ４４  係止爪、
４５  切欠端、              ４６  突起、
４７  吊板、                ４８  上板、
４９  取付孔、              ５０  保持孔、
５１  タッピンネジ、        ５２  下穴、
５３  通孔、                ５４  ドア枠、
５５  戸当り部、            ５６  側壁部、
５７  空間部、              ５８  スペーサー、
５９  アジャスター支持部材、６０  姿勢保持手段、
６１  取付孔、              ６２  下穴、
６３  固定ネジ、            ６３Ａ  頭部、
６３Ｂ  軸部、              ６４  ガイド孔、
６５  ザグリ、              ６６  突出部、
６７  凹部、                ６８  本体部、
６９  脚板、                ７０  折返し縁、
７１  係合段部、            ７２  当止部、
７３  底板、                ７４  係合穴、
７５  基板、                ７５Ａ  広幅部、
７５Ｂ  狭幅部、            ７６  天面板、
７７  係止突片、            ７８  スリット、
７９  突起、                ８０  切欠凹部、
８１  補強片、              ８２  補強片、
８３  挟持部、
Ｆ  床面、
Ｓ  天井、
Ｗ  壁面。
【図１】
0006511967.tif 000002
【図２】
0006511967.tif 000003
【図３】
0006511967.tif 000004
【図４】
0006511967.tif 000005
【図５】
0006511967.tif 000006
【図６】
0006511967.tif 000007
【図７】
0006511967.tif 000008
【図８】
0006511967.tif 000009
【図９】
0006511967.tif 000010
【図１０】
0006511967.tif 000011
【図１１】
0006511967.tif 000012
【図１２】
0006511967.tif 000013
【図１３】
0006511967.tif 000014
【図１４】
0006511967.tif 000015